(57)【要約】  リファレンス信号がマッピングされる候補リソースの量を抑えつつ、効率的な周波数スケジューリングを可能とする、リファレンス信号の送信装置、受信装置、送信方法、及び受信方法。端末（２００）において、送信制御部（２０６）が、設定情報に基づいて候補リソースを特定し、候補リソースを構成する候補周波数ユニット群内で、トリガー信号に基づいて第２種リファレンス信号をマッピングするマッピングリソースを決定する。その候補リソースは、第１の間隔で配置される複数の基本サブフレーム群から構成され、各基本サブフレーム群を構成するＮ個の構成サブフレームが第１の間隔よりも狭い第２の間隔で配置され、候補周波数ユニット群の各候補周波数ユニットは、各構成サブフレームにおけるＭ個の周波数ユニットの内で、所定の周波数ホッピングパターンによって規定された周波数ユニットである。
2012046399.tif 000002
【特許請求の範囲】
【請求項１】
物理レイヤにおいて、リファレンス信号をマッピングする候補リソースに関する設定情報を受信する受信手段と、
前記設定情報に基づいて前記候補リソースを特定する特定手段と、
前記候補リソースを構成する候補周波数ユニット群内で、トリガー信号に基づいてリファレンス信号をマッピングするマッピングリソースを決定する決定手段と、
前記決定されたマッピングリソースにリファレンス信号をマッピングして送信する送信手段と、
を具備し、
前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、
前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである、
リファレンス信号の送信装置。
【請求項２】
前記所定の周波数ホッピングパターンは、自装置に割り当てられた周波数帯域に含まれる全ての周波数ユニットを１サイクルで規定する、
請求項１に記載の送信装置。
【請求項３】
前記構成サブフレームの数Ｎは、前記所定の周波数ホッピングパターンの１サイクルにおける要素の数と同数である、
請求項１に記載の送信装置。
【請求項４】
前記決定手段は、１つのトリガー信号によってＬ個（Ｌは、２以上の自然数）のリファレンス信号が送信されるマルチショット送信が選択される場合に、最初のマッピングリソースから所定値より小さい間隔であるサブフレームの前記候補周波数ユニットのみを前記マッピングリソースの対象とする、
請求項１に記載の送信装置。
【請求項５】
リファレンス信号の送信側に対して、前記リファレンス信号をマッピングする候補リソースを設定する設定手段と、
前記候補リソースに関する設定情報を物理レイヤにおいて通知する通知手段と、
前記候補リソースにおいて前記リファレンス信号を受信する受信手段と、
を具備し、
前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、
前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである、
リファレンス信号の受信装置。
【請求項６】
前記候補リソースに関する設定情報には、前記候補リソースの設定が開始される先頭サブフレーム及び先頭周波数帯域、前記送信側が使用可能な周波数帯域幅、周波数ホッピングの各タイミングで用いられる周波数帯域幅、前記構成サブフレームの数Ｎ、前記第１の間隔、並びに、前記第２の間隔が含まれる、
請求項５に記載の受信装置。
【請求項７】
前記構成サブフレームの数Ｎは、前記所定の周波数ホッピングパターンの１サイクルにおける要素の数と同数である、
請求項５に記載の受信装置。
【請求項８】
前記受信手段は、１つのトリガー信号によってＬ個（Ｌは、２以上の自然数）のリファレンス信号が送信されるマルチショット送信が選択される場合に、前記トリガー信号が送信されたサブフレームから所定値より小さい間隔であるサブフレームの前記候補周波数ユニットのみを受信対象とする、
請求項５に記載の受信装置。
【請求項９】
物理レイヤにおいて、リファレンス信号をマッピングする候補リソースに関する設定情報を受信し、
前記設定情報に基づいて前記候補リソースを特定し、
前記候補リソースを構成する候補周波数ユニット群内で、トリガー信号に基づいてリファレンス信号をマッピングするマッピングリソースを決定し、
前記決定されたマッピングリソースにリファレンス信号をマッピングして送信する、
送信方法であって、
前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、
前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである、
リファレンス信号の送信方法。
【請求項１０】
リファレンス信号の送信側に対して、前記リファレンス信号をマッピングする候補リソースを設定し、
前記候補リソースに関する設定情報を物理レイヤにおいて通知し、
前記候補リソースにおいて前記リファレンス信号を受信する、
受信方法であって、
前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、
前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである、
リファレンス信号の受信方法。
【発明の詳細な説明】
【技術分野】
【０００１】
本発明は、リファレンス信号の送信装置、受信装置、送信方法、及び受信方法に関する。
【背景技術】
【０００２】
3GPP LTE(3rd Generation Partnership Project Long-term Evolution、以降、単に「LTE」と呼ぶ)の上り回線では、上り受信品質を測定するためのリファレンス信号として、Periodic Sounding Reference signal(P-SRS)が用いられる（非特許文献1参照）。【０００３】
このP-SRSを端末から基地局に対して送信するために、全端末共通のSRSリソース（以下、「共通リソース」と呼ぶ）が設定される。この共通リソースは、セル単位で通知される。例えば、共通リソースが１、３、８サブフレームであることが制御情報によって通知されると、セル内の全端末は、１、３、８サブフレームのそれぞれにおける所定期間（詳細には、最終シンボル）において、データ信号の送信を取り止めるとともに、その期間をリファレンス信号の送信リソースとして用いる。【０００４】
また、共通リソース内で各端末に対して実際に割り当てられるリソースに関する情報は、端末単位で物理層よりも上位レイヤによって通知される。これにより、共通リソースが各端末に対して分配される。【０００５】
具体的には、各端末に対して、時間軸方向では、リファレンス信号の送信用のリソースが周期的（periodic）に割り当てられる。【０００６】
また、リファレンス信号の送信方法には、広帯域送信と狭帯域送信とがある。広帯域送信では、端末に対して設定された帯域の全体でリファレンス信号が送信されるのに対して、狭帯域送信では、第１のタイミングにおいては、その設定帯域を構成する複数の部分帯域の内の第１の部分帯域でリファレンス信号が送信され、第２のタイミングにおいては、第１の部分帯域と異なる第２の部分帯域でリファレンス信号が送信される。すなわち、狭帯域送信では、周波数ホッピングが採用される（図１参照）。従って、１つのタイミングではリファレンス信号は狭い帯域でのみ送信されるが、周波数ホッピングが繰り返されることにより、設定帯域全体でリファレンス信号が送信されることになる。これにより、基地局は、設定帯域全体で受信品質を測定することができる。【０００７】
また、リファレンス信号は、各端末において直交系列によってスクランブルされて送信される。すなわち、複数の端末から送信されるリファレンス信号は、時間分割、周波数分割、及び符号分割によって多重されて送信される。【０００８】
また、上記した、共通リソース内で各端末に対して実際に割り当てられるリソースに関する情報（つまり、リソースの特定に用いられるパラメータ）には、先頭サブフレーム、設定帯域、送信帯域幅、リファレンス信号がマッピングされるフレーム間隔、送信時間などが含まれる。この情報が、端末単位で物理層よりも上位レイヤによって通知される。【０００９】
ここで、上述の通り、共通リソース内で各端末に対して実際に割り当てられるリソースに関する情報は、物理層よりも上位のレイヤで通知される。この上位のレイヤでは、通知を受けた端末と送信元の基地局との間でＡＣＫ／ＮＡＣＫ等の送受信が行われるため、端末がその通知を受けてから実際にリファレンス信号の送信を開始するまでの時間が長くなるという欠点がある。【００１０】
LTEをさらに進めたLTE-Advanced（以下、「LTE-A」という）の上り回線では、DA-SRS(Dynamic Aperiodic SRS)の導入が検討されている。このDA-SRSの送信タイミングは、基地局から端末へ送信されるトリガー情報（例えば、１ビットの情報）によって制御される。このトリガー情報は、物理層の制御チャネル（つまり、PDCCH）によって送信される。そして、端末は、トリガー情報を受け取ると、各送信アンテナからDA-SRSの送信を開始する。また、DA-SRSの送信方法には、１つのトリガー情報に対して１つのDA-SRSを送信するシングルショット（Single shot）と、１つのトリガー情報に対して複数のDA-SRSを送信するマルチショット（Multi shot）とが検討されている。マルチショットの場合、複数のDA-SRSは、それぞれ異なるサブフレームで送信される。なお、DA-SRSとP-SRSとは、独立にパラメータが設定される。【００１１】
ここで、上述の通り、P-SRSは、周期的（periodic）に送信される一方、DA-SRSは、バースト的に送信データが発生したときに、基地局から端末への物理レイヤにおける通知に基づいて、送信される。従って、例えば、DA-SRSは、バースト的に発生し且つデータ量の比較的少ないデータ信号に対するリソース割当を行うための受信品質測定に使用される一方、P-SRSは、頻繁に発生するデータ信号に対するリソース割当を行うための受信品質測定に使用される。
【先行技術文献】
【非特許文献】
【００１２】
【非特許文献１】TS36.211 v8.9.0 “3GPP TSG RAN; Evolved Universal Terrestrial Radio Access  (E-UTRA); Physical Channels and Modulation”
【発明の概要】
【発明が解決しようとする課題】
【００１３】
ところで、物理層よりも上位レイヤによってリソースに関する情報が通知される第１種リファレンス信号（P-SRS）の送信方法を、物理層によってリソースに関する情報が通知される第２種リファレンス信号（DA-SRS）の送信方法に単純に適用する場合、第２種リファレンス信号をマッピングできる「候補リソース」は、次のように設定される。【００１４】
すなわち、まず、設定対象の端末が第２種リファレンス信号をマッピングできる候補サブフレームが設定される。この候補リソースである候補サブフレームは、リソースの特定に用いられるパラメータとして基地局から端末へ送信される、先頭サブフレーム、送信間隔によって特定される。端末は、例えば、先頭サブフレームから一定間隔ごとのサブフレーム群を、自端末が第２種リファレンス信号の送信に使用できる「候補サブフレーム群」として特定する。【００１５】
そして、候補サブフレーム群の各サブフレームにおいて、複数の部分帯域の内でリファレンス信号をマッピングできる候補部分帯域（つまり、候補周波数リソース）は、周波数ホッピングパターンによって特定される。【００１６】
こうして、設定対象端末に対して、候補リソースが設定される。【００１７】
そして、端末は、基地局からトリガー情報を受信したサブフレームから４サブフレーム以降のサブフレームであり且つ設定された候補リソースに含まれるサブフレームから、第２種リファレンス信号の送信を開始する。なお、第２種リファレンス信号は、シングルショットの場合には、１つの候補周波数リソースユニットにおいて送信される一方、マルチショットの場合には、候補リソースに含まれる、複数のサブフレームのそれぞれの候補周波数リソースユニットにおいて送信される。なお、基地局は、複数の端末に対して同一のサブフレームを割り当てる。これにより、リファレンス信号が割り当てらない空きリソースが多く発生することを軽減する。ただし、基地局は、各端末へのトリガー情報を用いて、複数の端末から送信される複数のリファレンス信号間の衝突が発生しないように、各端末がリファレンス信号を送信するタイミングを制御する。【００１８】
しかしながら、図２に示すように、或る設定対象端末の候補サブフレーム群のサブフレーム間隔を短く設定すると、その設定対象端末以外の端末であってその設定対象端末と異なるサブフレームを使用する端末の使用可能なサブフレームの数が少なくなってしまう。また、例えば、第１種リファレンス信号の候補サブフレーム群と第２種リファレンス信号の候補サブフレーム群とが異なる場合、第２種リファレンス信号の候補サブフレームの数が多くなるにつれて、第１種リファレンス信号の候補サブフレームの数が少なくなってしまう。この結果、周期的（periodic）に送信される第１種リファレンス信号が送信される機会が減少するため、基地局による周波数スケジューリングが困難になる。【００１９】
また、図３に示すように、或る設定対象端末の候補サブフレーム群のサブフレーム間隔を長く設定すると、その設定対象端末は、第２種リファレンス信号を短い期間で繰り返し送信することができない。従って、周波数ホッピングパターンを１周させるのに長時間かかるので、設定対象端末に対して設定された帯域全体で第２種リファレンス信号を送信するのに掛かる時間が長くなってしまう。この結果、基地局が設定対象端末に対して全帯域における周波数スケジューリングをする場合、周波数スケジューリングのために必要な全帯域の受信品質測定結果を取得するのに掛かる時間が長くなり、周波数スケジューリングを実行できるタイミングが遅くなる。【００２０】
本発明の目的は、リファレンス信号がマッピングされる候補リソースの量を抑えつつ、効率的な周波数スケジューリングを可能とする、リファレンス信号の送信装置、受信装置、送信方法、及び受信方法を提供することである。
【課題を解決するための手段】
【００２１】
本発明の一態様の送信装置は、物理レイヤにおいて、リファレンス信号をマッピングする候補リソースに関する設定情報を受信する受信手段と、前記設定情報に基づいて前記候補リソースを特定する特定手段と、前記候補リソースを構成する候補周波数ユニット群内で、トリガー信号に基づいてリファレンス信号をマッピングするマッピングリソースを決定する決定手段と、前記決定されたマッピングリソースにリファレンス信号をマッピングして送信する送信手段と、を具備し、前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。【００２２】
本発明の一態様の受信装置は、リファレンス信号の送信側に対して、前記リファレンス信号をマッピングする候補リソースを設定する設定手段と、前記候補リソースに関する設定情報を物理レイヤにおいて通知する通知手段と、前記候補リソースにおいて前記リファレンス信号を受信する受信手段と、を具備し、前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。【００２３】
本発明の一態様の送信方法は、物理レイヤにおいて、リファレンス信号をマッピングする候補リソースに関する設定情報を受信し、前記設定情報に基づいて前記候補リソースを特定し、前記候補リソースを構成する候補周波数ユニット群内で、トリガー信号に基づいてリファレンス信号をマッピングするマッピングリソースを決定し、前記決定されたマッピングリソースにリファレンス信号をマッピングして送信する、送信方法であって、前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。【００２４】
本発明の一態様の受信方法は、リファレンス信号の送信側に対して、前記リファレンス信号をマッピングする候補リソースを設定し、前記候補リソースに関する設定情報を物理レイヤにおいて通知し、前記候補リソースにおいて前記リファレンス信号を受信する、受信方法であって、前記候補リソースは、第１の間隔で配置される複数の基本サブフレーム群から構成され、各基本サブフレーム群を構成するＮ（Ｎは、２以上の自然数）個の構成サブフレームが前記第１の間隔よりも狭い第２の間隔で配置され、前記候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。
【発明の効果】
【００２５】
本発明によれば、リファレンス信号がマッピングされる候補リソースの量を抑えつつ、効率的な周波数スケジューリングを可能とする、リファレンス信号の送信装置、受信装置、送信方法、及び受信方法を提供することができる。
【図面の簡単な説明】
【００２６】
【図１】リファレンス信号の狭帯域送信方法の説明に供する図
【図２】候補サブフレーム群のサブフレーム間隔を短く設定した場合の候補リソースの説明に供する図
【図３】候補サブフレーム群のサブフレーム間隔を長く設定した場合の候補リソースの説明に供する図
【図４】本発明の実施の形態１に係る基地局の主要構成図
【図５】本発明の実施の形態１に係る端末の主要構成図
【図６】本発明の実施の形態１に係る基地局の構成を示すブロック図
【図７】本発明の実施の形態１に係る端末の構成を示すブロック図
【図８】本発明の実施の形態１に係る候補リソース設定の説明に供する図
【図９】本発明の実施の形態１に係る候補リソース設定の説明に供する図
【図１０】本発明の実施の形態２に係る候補リソース設定の説明に供する図
【図１１】本発明の実施の形態３に係る候補リソース設定の説明に供する図
【図１２】本発明の実施の形態４に係る候補リソース設定の説明に供する図
【図１３】本発明の実施の形態５に係るＲＳマッピングリソースの設定方法の説明に供する図
【図１４】本発明の実施の形態６に係るＲＳマッピングリソースの設定方法の説明に供する図
【発明を実施するための形態】
【００２７】
以下、本発明の実施の形態について図面を参照して詳細に説明する。なお、実施の形態において、同一の構成要素には同一の符号を付し、その説明は重複するので省略する。
【００２８】
［実施の形態１］
［通信システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００２９】
図４は、本発明の実施の形態１に係る基地局１００の主要構成図である。基地局１００において、設定部１０１が、第２種リファレンス信号の送信側である端末２００に対して、第２種リファレンス信号をマッピングする「候補リソース」を設定し、通知手段としての送信処理部１０４が、候補リソースに関する設定情報を物理レイヤにおいて通知し、受信処理部１０８が、候補リソースにおいて第２種リファレンス信号を受信する。
【００３０】
そして、「候補リソース」は、第１の間隔で配置される複数の基本サブフレーム群から構成され、各基本サブフレーム群を構成するＮ（Ｎは、２以上の自然数）個の構成サブフレームが第１の間隔よりも狭い第２の間隔で配置され、候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。
【００３１】
図５は、本発明の実施の形態１に係る端末２００の主要構成図である。端末２００において、受信処理部２０３が、物理レイヤにおいて、第２種リファレンス信号をマッピングする候補リソースに関する設定情報を受信し、送信制御部２０６が、設定情報に基づいて候補リソースを特定し、候補リソースを構成する候補周波数ユニット群内で、トリガー信号に基づいて第２種リファレンス信号をマッピングするマッピングリソースを決定し、送信信号形成手段が、決定されたマッピングリソースに第２種リファレンス信号をマッピングして送信する。
【００３２】
そして、「候補リソース」は、第１の間隔で配置される複数の基本サブフレーム群から構成され、各基本サブフレーム群を構成するＮ（Ｎは、２以上の自然数）個の構成サブフレームが第１の間隔よりも狭い第２の間隔で配置され、候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。
【００３３】
以下では、上り回線と下り回線とが周波数分割されるＦＤＤシステムを前提として説明する。
【００３４】
［基地局１００の構成］
図６は、本発明の実施の形態１に係る基地局１００の構成を示すブロック図である。図６において、基地局１００は、設定部１０１と、符号化・変調部１０２，１０３と、送信処理部１０４と、送信ＲＦ部１０５と、アンテナ１０６と、受信ＲＦ部１０７と、受信処理部１０８と、データ受信部１０９と、ＳＲＳ受信部１１０とを有する。
【００３５】
設定部１０１は、設定対象端末２００の「候補リソース」を設定するための「候補リソース設定情報」を生成する。この候補リソースは、上述の通り、設定対象端末２００が第２種リファレンス信号（例えば、DA-SRS）をマッピングすることができるリソースである。そして、候補リソース設定情報には、設定対象端末２００が候補リソースの設定を開始する先頭サブフレーム及び先頭周波数帯域、設定対象端末２００が使用可能な周波数帯域幅、周波数ホッピングの各タイミングで用いられる周波数帯域幅（つまり、周波数ホッピング帯域幅）、並びに、「候補サブフレーム群設定情報」が含まれる。「候補サブフレーム群設定情報」には、「基本サブフレーム群」を構成するサブフレームの数、基本サブフレーム群における構成サブフレーム間の間隔（以下、「構成サブフレーム間間隔」と呼ばれることがある）、及び、隣接する２つの基本サブフレーム群で対応するサブフレーム（例えば、基本サブフレーム群の先頭サブフレーム）同士の間隔（以下、「基本サブフレーム群間間隔」と呼ばれることがある）が含まれる。
【００３６】
また、設定部１０１は、設定対象端末２００による第２種リファレンス信号の送信方法を設定するための「送信方法設定情報」を生成する。この送信方法設定情報には、設定対象端末２００へシングルショット及びマルチショットの内でどちらを設定するのかを示す情報、並びに、マルチショットの場合に、１つのトリガー情報に対して第２種リファレンス信号を送信するサブフレームの数が含まれる。
【００３７】
また、設定部１０１は、指示対象端末２００に対して、第２種リファレンス信号の送信開始を指示するトリガー情報を生成する。
【００３８】
以上のように設定部１０１によって生成された、候補リソース設定情報及び送信方法設定情報は、設定情報として、符号化・変調部１０２、送信処理部１０４、及び送信ＲＦ部１０５を介して設定対象端末２００へ送信される。また、トリガー情報も同様に、符号化・変調部１０２、送信処理部１０４、及び送信ＲＦ部１０５を介して設定対象端末２００へ送信される。
【００３９】
さらに、設定部１０１は、リソース（ＲＢ）割当情報、及び、１つまたは複数のトランスポートブロック（TB）に対するＭＣＳ情報を含む、割当制御情報を生成する。割当制御情報は、上り回線データを割り当てる上りリソース（例えば，ＰＵＳＣＨ（Physical Uplink Shared Channel））に関する割当制御情報、下り回線データを割り当てる下りリソース（例えば、ＰＤＳＣＨ（Physical Downlink Shared Channel））に関する割当制御情報で構成される。そして、上りリソースに関する割当制御情報は、符号化・変調部１０２および受信処理部１０８へ出力され、下りリソースに関する割当制御情報は、符号化・変調部１０２および送信処理部１０４へ出力される。
【００４０】
ここで、設定情報は、上位レイヤ情報として（つまり、RRCシグナリングによって）、基地局１００から端末２００へ通知される。一方、割当制御情報及びトリガー情報は、ＰＤＣＣＨ（Physical Downlink Control Channel）によって、基地局１００から端末２００へ通知される。すなわち、設定情報は通知間隔が比較的長い（つまり、比較的長い間隔を空けて通知される）のに対して、割当制御情報及びトリガー情報は、通知間隔が短い（つまり、短い間隔で通知される）。
【００４１】
符号化・変調部１０２は、設定部１０１から受け取る設定情報、トリガー情報及び割当制御情報を符号化及び変調し、得られた変調信号を送信処理部１０４へ出力する。
【００４２】
符号化・変調部１０３は、入力されるデータ信号を符号化及び変調し、得られた変調信号を送信処理部１０４へ出力する。
【００４３】
送信処理部１０４は、符号化・変調部１０２及び符号化・変調部１０３から受け取る変調信号を、設定部１０１から受け取る下りリソース割当情報の示すリソースにマッピングすることにより、送信信号を形成する。ここで、送信信号がＯＦＤＭ信号である場合には、変調信号を、設定部１０１から受け取る下りリソース割当情報の示すリソースにマッピングし、逆高速フーリエ変換（ＩＦＦＴ）処理を施して時間波形に変換し、ＣＰ（Cyclic Prefix）を付加することにより、ＯＦＤＭ信号が形成される。
【００４４】
送信ＲＦ部１０５は、送信処理部１０４から受け取る送信信号に対して送信無線処理（アップコンバート、ディジタルアナログ（Ｄ／Ａ）変換など）を施し、アンテナ１０６を介して送信する。
【００４５】
受信ＲＦ部１０７は、アンテナ１０６介して受信した無線信号に対して受信無線処理（ダウンコンバート、アナログディジタル（Ａ／Ｄ）変換など）を施し、得られた受信信号を受信処理部１０８へ出力する。
【００４６】
受信処理部１０８は、設定部１０１から受け取る上りリソース割当情報に基づいて上りデータ信号及びＡＣＫ／ＮＡＣＫ情報がマッピングされているリソースを特定し、受信信号から、特定されたリソースにマッピングされている信号成分を抽出する。
【００４７】
また、受信処理部１０８は、設定部１０１から受け取る設定情報及びトリガー情報に基づいて第２種リファレンス信号がマッピングされているリソースを特定し、受信信号から、特定されたリソースにマッピングされている信号成分を抽出する。具体的には、端末２００は、トリガー情報が送信されたサブフレームから４サブフレーム以降のサブフレームであってその端末２００に設定された候補リソースに含まれるサブフレームから第２種リファレンス信号を送信する。従って、このルール、候補サブフレーム群設定情報、及びトリガー情報に従って、受信処理部１０８は、第２種リファレンス信号がマッピングされているサブフレームを特定する。また、受信処理部１０８は、候補リソース設定情報に含まれる、先頭サブフレーム、先頭周波数帯域、周波数帯域幅、及び周波数ホッピング帯域幅、並びに、固定の周波数ホッピングパターンに基づいて、上記特定されたサブフレームにおいて第２種リファレンス信号がマッピングされる周波数リソースユニットを特定する。シングルショットの場合には、１つのサブフレーム内の１つの周波数リソースユニットが特定される。マルチショットの場合には、複数のサブフレームのそれぞれにおいて１つの周波数リソースユニットが特定される。
【００４８】
ここで、受信信号が空間多重された（つまり、複数のコードワード（ＣＷ）によって送信された）信号である場合には、受信処理部１０８は、受信信号をＣＷ毎に分離する。また、受信信号がＯＦＤＭ信号である場合には、受信処理部１０８は、抽出された信号成分に対してＩＤＦＴ（Inverse Discrete Fourier Transform）処理を施すことにより、時間領域信号に変換する。
【００４９】
こうして受信処理部１０８によって抽出された上りデータ信号及びＡＣＫ／ＮＡＣＫ情報は、データ受信部１０９へ出力され、第２種リファレンス信号は、ＳＲＳ受信部１１０へ出力される。
【００５０】
データ受信部１０９は、受信処理部１０８から受け取る信号を復号する。これにより、上り回線データ及びＡＣＫ／ＮＡＣＫ情報が得られる。
【００５１】
ＳＲＳ受信部１１０は、受信処理部１０８から受け取る第２種リファレンス信号に基づいて、各周波数リソースユニットの受信品質を測定し、受信品質情報を出力する。ここで、異なる端末２００から送信される複数の第２種リファレンス信号が直交系列などによって符号多重される場合には、ＳＲＳ受信部１１０は、符号多重された複数の第２種リファレンス信号の分離処理も行う。
【００５２】
なお、設定情報（候補リソース設定情報及び送信方法設定情報）は、基地局１００のセルにおいてトラヒック状況が変化しない場合又は平均的な受信品質を測定したい場合には、通知間隔が長い上位レイヤ情報で通知されることが、シグナリングの観点から好ましい。また、これらの各種オフセット量の一部または全てを報知情報として通知することにより、通知量をより軽減することができる。しかしながら、設定情報をトラヒック状況などに応じてより動的に変更する必要がある場合には、これらのオフセット量の一部または全てを通知間隔が短いＰＤＣＣＨで通知することが好ましい。
【００５３】
図７は、本発明の実施の形態１に係る端末２００の構成を示すブロック図である。ここでは、端末２００は、ＬＴＥ−Ａ端末である。
【００５４】
図７において、端末２００は、アンテナ２０１と、受信ＲＦ部２０２と、受信処理部２０３と、リファレンス信号生成部２０４と、データ信号生成部２０５と、送信制御部２０６と、送信信号形成部２０７と、送信ＲＦ部２０８とを有する。
【００５５】
受信ＲＦ部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００５６】
受信処理部２０３は、受信信号に含まれる設定情報、割当制御情報、トリガー情報、及びデータ信号を抽出する。受信処理部２０３は、設定情報、割当制御情報、及びトリガー情報を送信制御部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。
【００５７】
リファレンス信号生成部２０４は、送信制御部２０６から生成指示信号を受け取ると、リファレンス信号を生成し、送信信号形成部２０７へ出力する。
【００５８】
データ信号生成部２０５は、ＡＣＫ／ＮＡＣＫ情報及び送信データを入力とし、送信制御部２０６から受け取るＭＣＳ情報に基づいてＡＣＫ／ＮＡＣＫ情報及び送信データを符号化及び変調することにより、データ信号を生成する。Non-MIMO送信の場合には、１つのコードワード（ＣＷ）でデータ信号が生成され、MIMO送信の場合には、２つのコードワードでデータ信号が生成される。なお、受信信号がＯＦＤＭ信号の場合には、データ信号生成部２０５は、ＣＰ除去処理、ＦＦＴ処理も行う。
【００５９】
送信制御部２０６は、自端末が第２種リファレンス信号をマッピングする候補リソースを設定する。具体的には、送信制御部２０６は、受信処理部２０３から受け取る設定情報（候補リソース設定情報）に基づいて候補リソースを特定する。この端末２００において設定される候補リソースについては、後に詳しく説明する。
【００６０】
また、送信制御部２０６は、受信処理部２０３からトリガー情報を受け取ると、実際に第２種リファレンス信号をマッピングする「ＲＳマッピングリソース」を候補リソースの中で決定し、決定されたＲＳマッピングリソースに関する情報（以下、「ＲＳマッピングリソース情報」と呼ばれることがある）を送信信号形成部２０７へ出力すると共に、リファレンス信号の生成指示信号をリファレンス信号生成部２０４へ出力する。具体的には、ＲＳマッピングリソースは、トリガー情報が送信されたサブフレームから４サブフレーム以降のサブフレームであって端末２００に設定された候補リソースに含まれるサブフレームである。さらに、マルチショットの場合には、そのサブフレームを先頭として、１つのトリガー情報に対して第２種リファレンス信号を送信するサブフレームの数だけの、候補リソース内のサブフレームが、ＲＳマッピングリソースとされる。
【００６１】
また、送信制御部２０６は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０７と共に、割当制御情報に含まれるＭＣＳ情報をデータ信号生成部２０５へ出力する。
【００６２】
送信信号形成部２０７は、リファレンス信号生成部２０４から受け取る第２種リファレンス信号をＲＳマッピング情報の示すＲＳマッピングリソースにマッピングする。また、送信信号形成部２０７は、データ信号生成部２０５から受け取るデータ信号をデータマッピングリソース情報の示すデータマッピングリソースにマッピングする。こうして送信信号が形成される。なお、Non-MIMO送信の場合には、１コードワードのデータ信号が１レイヤに割り当てられ、MIMO送信の場合には、２コードワードのデータ信号が複数のレイヤに割り当てられる。また、送信信号がＯＦＤＭ信号の場合には、送信信号形成部２０７は、データ信号をＤＦＴ（Discrete Fourier transform）処理した後に、データマッピングリソースにマッピングする。また、形成された送信信号に対してＣＰが付加される。
【００６３】
送信ＲＦ部２０８は、送信信号形成部２０７で形成された送信信号に対して送信無線処理（アップコンバート、ディジタルアナログ（Ｄ／Ａ）変換など）を施してアンテナ２０１を介して送信する。
【００６４】
［基地局１００及び端末２００の動作］
以上の構成を有する基地局１００及び端末２００の動作について説明する。ここでは、特に、設定対象端末２００に対する候補リソースの設定処理、端末２００による候補リソースを用いた第２種リファレンス信号の送信処理、及び、基地局１００による端末２００から送信された第２種リファレンス信号の受信処理について説明する。
【００６５】
＜基地局１００による設定対象端末２００に対する候補リソースの設定処理＞
基地局１００において、設定部１０１は、設定対象端末２００の「候補リソース」を設定するための「候補リソース設定情報」を生成する。この候補リソースは、上述の通り、設定対象端末２００が第２種リファレンス信号（例えば、DA-SRS）をマッピングすることができるリソースである。そして、候補リソース設定情報には、設定対象端末２００が候補リソースの設定を開始する先頭サブフレーム及び先頭周波数帯域、設定対象端末２００が使用可能な周波数帯域幅、周波数ホッピングの各タイミングで用いられる周波数帯域幅（つまり、周波数ホッピング帯域幅）、並びに、「候補サブフレーム群設定情報」が含まれる。「候補サブフレーム群設定情報」には、「基本サブフレーム群」を構成するサブフレームの数、基本サブフレーム群における構成サブフレーム間の間隔（以下、「構成サブフレーム間間隔」と呼ばれることがある）、及び、隣接する２つの基本サブフレーム群で対応するサブフレーム（例えば、基本サブフレーム群の先頭サブフレーム）同士の間隔（以下、「基本サブフレーム群間間隔」と呼ばれることがある）が含まれる。
【００６６】
具体的には、設定部１０１によって設定される候補リソースは、図８に示すように、Ｎ個の構成サブフレームから構成される基本サブフレーム群が基本サブフレーム群間間隔Ｔ１で配置され、各基本サブフレーム群内の構成サブフレームが互いに構成サブフレーム間間隔Ｔ２で配置される。また、先頭の基本サブフレーム群内の先頭サブフレームは、候補リソース設定情報に含まれる先頭サブフレーム情報に対応するサブフレームである。当然のことながら、基本サブフレーム群間間隔Ｔ１は、構成サブフレーム間間隔Ｔ２よりも大きい。
【００６７】
また、設定部１０１は、設定対象端末２００による第２種リファレンス信号の送信方法を設定するための「送信方法設定情報」を生成する。この送信方法設定情報には、設定対象端末２００へシングルショット及びマルチショットの内でどちらを設定するのかを示す情報、並びに、マルチショットの場合に、１つのトリガー情報に対して第２種リファレンス信号を送信するサブフレームの数が含まれる。
【００６８】
また、設定部１０１は、指示対象端末２００に対して、第２種リファレンス信号の送信開始を指示するトリガー情報を生成する。
【００６９】
こうして生成された設定情報及びトリガー情報は、端末２００に対して送信される。
【００７０】
＜端末２００による候補リソースを用いた第２種リファレンス信号の送信処理＞
端末２００において、送信制御部２０６は、自端末が第２種リファレンス信号をマッピングする候補リソースを設定する。
【００７１】
具体的には、送信制御部２０６は、第１に、受信処理部２０３から受け取る設定情報（候補リソース設定情報）に基づいて候補リソースを特定する。詳細には、送信制御部２０６は、候補リソース設定情報に含まれる候補サブフレーム群設定情報に基づいて、例えば図８に示されるような候補サブフレーム群を特定することができる。
【００７２】
送信制御部２０６は、第２に、先頭の基本サブフレーム群内の先頭サブフレームにおける、先頭周波数帯域情報の示す周波数帯域を候補周波数リソースユニットとして特定し、この候補周波数リソースユニットを基準として、固定の周波数ホッピングパターンによって先頭サブフレーム以降の各サブフレームにおける候補周波数リソースユニットを特定する。すなわち、候補リソースでは、候補リソースの構成サブフレーム毎に、候補周波数リソースユニットが固定の周波数ホッピングパターンによって変更されている。
【００７３】
具体的には、図９に示すように、先頭周波数帯域情報の示す周波数帯域が最も低周波数側の周波数リソースユニットである場合には、端末２００に設定された候補リソースは、同図における第１の端末２００に対する候補周波数リソースユニット群となる。また、図９に示すように先頭周波数帯域情報の示す周波数帯域が次に低周波数側の周波数リソースユニットである場合には、端末２００に設定された候補リソースは、同図における第２の端末２００に対する候補周波数リソースユニット群となる。
【００７４】
こうして、端末２００に対する候補リソースが設定される。
【００７５】
そして、端末２００の送信制御部２０６は、基地局１００から送信されるトリガー情報に基づいて、候補リソース内で、実際に第２種リファレンス信号をマッピングするＲＳマッピングリソースを候補リソースの中で決定する。
【００７６】
そして、送信信号形成部２０７は、リファレンス信号生成部２０４から受け取る第２種リファレンス信号をＲＳマッピングリソースにマッピングする。
【００７７】
＜基地局１００による端末２００から送信された第２種リファレンス信号の受信処理＞
基地局１００においても、端末２００と同様に、端末２００のＲＳマッピングリソースを特定することができる。端末２００がＲＳマッピングリソースの特定に用いている情報は、基地局１００から送信される設定情報及び基地局１００と端末２００との間で既知である周波数ホッピングパターンであるためである。
【００７８】
基地局１００では、受信処理部１０８が、端末２００のＲＳマッピングリソースを特定すると共に、ＲＳマッピングリソースにマッピングされている信号の受信処理を行う。
【００７９】
以上のように本実施の形態によれば、端末２００において、送信制御部２０６が、設定情報に基づいて前記候補リソースを特定し、候補リソースを構成する候補周波数ユニット群内で、トリガー信号に基づいて第２種リファレンス信号をマッピングするマッピングリソースを決定する。その候補リソースは、第１の間隔（上記した基本サブフレーム間間隔）で配置される複数の基本サブフレーム群から構成され、各基本サブフレーム群を構成するＮ（Ｎは、２以上の自然数）個の構成サブフレームが第１の間隔よりも狭い第２の間隔（上記した構成サブフレーム間間隔）で配置され、候補周波数ユニット群の各候補周波数ユニットは、各構成サブフレームにおけるＭ（Ｍは、２以上の自然数）個の周波数ユニットの内で、所定の周波数ホッピングパターンによって規定された周波数ユニットである。
【００８０】
こうすることで、構成サブフレーム間間隔を短く設定することにより、短い期間に多くの候補サブフレームを設定することができるので、第２種リファレンス信号を短い期間で繰り返し送信することができる。これにより、端末２００は、短期間で多くの周波数ユニットで第２種リファレンス信号を送信することができる。従って、基地局１００は、トリガー情報を送信してから早い段階で、広帯域の周波数スケジューリングを行うことができる。
【００８１】
また、基本サブフレーム群間間隔を長く設定することにより、２つの基本サブフレーム群の間に、基本サブフレーム群に属さないサブフレームを多く設定することができる。これにより、他の端末が使用できるサブフレームを多数確保できる。そのため、他の端末がリファレンス信号を送信する機会が増加するので、基地局１００による周波数スケジューリングが容易になる。
【００８２】
なお、基本サブフレーム間間隔と、構成サブフレーム間間隔とを一致させる場合には、第２種リファレンス信号に使用できるサブフレームを一定の間隔で確保することができる。
【００８３】
［実施の形態２］
実施の形態２は、候補リソースのバリエーションに関する。実施の形態１で示した候補リソースの例（図９参照）では、基本サブフレーム群の構成サブフレームの数と、周波数ホッピングパターンの１サイクルに含まれる要素の数とが一致している。これに対して、実施の形態２の候補リソースでは、基本サブフレーム群の構成サブフレームの数よりも、周波数ホッピングパターンの１サイクルに含まれる要素の数の方が多い。
【００８４】
ここで、基地局１００が端末２００の受信品質を測定するに際して、第２種リファレンス信号（DA-SRS）を端末２００に対して送信させる周波数リソースユニットの数は、端末２００と基地局１００との間の伝搬路状況に依存する。例えば、伝搬路状況に依存して周波数リソースユニットの帯域幅が決定され、その周波数リソースユニットの帯域幅と、受信品質を測定する周波数帯域との関係から、第２種リファレンス信号（DA-SRS）が送信される周波数リソースユニットの数（つまり、第２種リファレンス信号が送信される候補サブフレームの数）が決定される。一方、マルチショットにおいて送信される第２種リファレンス信号の数は、基本サブフレーム群の構成サブフレームの数に依存する。これらより、第２種リファレンス信号（DA-SRS）が送信される周波数リソースユニットの数と、マルチショットにおいて送信される第２種リファレンス信号の数とは関連性が低い。従って、１回のトリガー情報によって、基地局１００から指示される全ての周波数帯域の受信品質を測定できるとは限らない。
【００８５】
そこで、周波数ホッピングパターンは、その１サイクルによって、基地局１００から端末２００に対して第２種リファレンス信号の送信帯域として通知された全帯域に含まれる周波数リソースユニットを網羅するように、定義される。図１０には、周波数ホッピングパターンの１サイクルが４つの要素で構成され、基本サブフレーム群の構成サブフレームの数が３つの場合における、候補リソースの例が示されている。また、図１０において、基地局１００から端末２００に対して第２種リファレンス信号の送信帯域として通知された全帯域に含まれる周波数リソースユニットの数は、周波数ホッピングパターンの１サイクルに含まれる要素の数と同じである。
【００８６】
以上のように本実施の形態によれば、周波数ホッピングパターンは、端末２００に割り当てられた周波数帯域に含まれる全ての周波数ユニットを１サイクルで規定する。
【００８７】
こうすることで、複数のトリガー情報を送信するサブフレームを調整することにより、端末２００に設定された周波数帯域の全てで第２種リファレンス信号の送信を実現することができる。これにより、基地局１００は、端末２００に対して設定した周波数帯域の全てで第２種リファレンス信号を受信して受信品質を測定することができる。従って、基地局１００は、広い周波数帯域の受信品質を用いて周波数スケジューリングを行うことができるので、周波数スケジューリングの性能を向上できる。特に、基本サブフレーム群の構成サブフレームの数が少ない場合に、広範囲の周波数帯域で受信品質を測定し、高精度に周波数スケジューリングしたい場合に有効である。
【００８８】
［実施の形態３］
実施の形態３は、候補リソースのバリエーションに関する。実施の形態３でも、実施の形態１と同様に、基本サブフレーム群の構成サブフレームの数と、周波数ホッピングパターンの１サイクルに含まれる要素の数とが一致する。ただし、実施の形態３では、周波数ホッピングパターンは、その１サイクルによって、基地局１００から端末２００に対して第２種リファレンス信号の送信帯域として通知された全帯域に含まれる周波数リソースユニットを網羅しきれていない。すなわち、１つのサブフレームに含まれる周波数リソースユニットの数は、周波数ホッピングパターンの１サイクルに含まれる要素の数よりも多くなっている。
【００８９】
図１１に示される候補リソースの例では、基本サブフレーム群の構成サブフレームの数が３つであり、周波数ホッピングパターンの１サイクルに含まれる要素の数も３つである。また、１つのサブフレームにおける周波数リソースユニットの数は、４つである。また、複数の基本サブフレーム群のそれぞれの先頭サブフレームにおける候補周波数リソースユニットは、共通している。すなわち、図１１において、最初の基本サブフレーム群の先頭サブフレームにおける候補周波数リソースユニットは最も低周波数側のものであり、２番目の基本サブフレーム群の先頭サブフレームにおける候補周波数リソースユニットも同様に最も低周波数側のものとなっている。
【００９０】
以上のように本実施の形態によれば、構成サブフレームの数Ｎは、周波数ホッピングパターンの１サイクルにおける要素の数と同数である。さらに、複数の基本サブフレーム群のそれぞれの先頭サブフレームにおける候補周波数リソースユニットは、共通している。さらに、１つのサブフレームにおける周波数リソースユニットの数は、構成サブフレームの数Ｎよりも多い。
【００９１】
こうすることで、基地局１００が一定周波数のみの受信品質を測定する場合には、複数の基本サブフレーム群で送信された第２種リファレンス信号の受信品質を平均化することにより、受信品質の精度を向上することができる。また、周波数ホッピングを使用する場合には、セル間干渉などの多い周波数帯域を避けて、候補周波数リソースユニットを設定することができる。また、基本サブフレーム群間間隔で周波数ホッピングパターンを繰り返すため、候補リソースの確保が容易となる。なお、実施の形態３で説明した候補リソースの設定は、基地局１００が一定範囲の周波数帯域のみの受信品質を測定して周波数スケジューリングすれば十分な場合に有効である。
【００９２】
［実施の形態４］
実施の形態４は、候補リソースのバリエーションに関する。実施の形態１及び実施の形態３では、複数の基本サブフレーム群のそれぞれの先頭サブフレームにおける候補周波数リソースユニットは、共通している。これに対して、実施の形態４では、隣接する複数の基本サブフレーム群の間で、先頭サブフレームにおける候補周波数リソースをシフトさせる。そして、この「シフトパターン」と、第１種リファレンス信号の周波数ホッピングパターンとを一致させる。
【００９３】
図１２では、最初の基本サブフレーム群の先頭サブフレームにおける候補周波数リソースユニットは最も低周波数側のものであり、２番目の基本サブフレーム群の先頭サブフレームにおける候補周波数リソースユニットは次に低周波数側のものとなっている。隣接する基本サブフレーム群の間での、先頭サブフレームにおける候補周波数リソースユニットのシフト量に関するパターンが、第１種リファレンス信号の周波数ホッピングパターンと一致させられている。
【００９４】
ここで、第１種リファレンス信号と第２種リファレンス信号とは、直交系列である巡回シフト系列を用いて符号多重されても良い。この場合に、次の２つの条件を満たすことにより、第１種リファレンス信号の候補リソースと第２種リファレンス信号の候補リソースとの対応関係を一定に保つことができる。すなわち、（１）第１種リファレンス信号の周波数ホッピングパターンと第２種リファレンス信号の周波数ホッピングパターンとを一致させ且つ第１種リファレンス信号の送信間隔と第２種リファレンス信号の基本サブフレーム群間間隔とを一致させる。（２）上述のように、隣接する基本サブフレーム群の間での、先頭サブフレームにおける候補周波数リソースユニットのシフト量に関するパターンを第１種リファレンス信号の周波数ホッピングパターンと一致させる。
【００９５】
これにより、第１種リファレンス信号と第２種リファレンス信号との衝突を避けるスケジューリングが容易になる。
【００９６】
［実施の形態５］
実施の形態５は、ＲＳマッピングリソースの設定方法のバリエーションに関する。
【００９７】
実施の形態５に係る端末２００の送信制御部２０６は、マルチショットの場合に１つのトリガー情報によって送信される第２種リファレンス信号の数が１つの基本サブフレーム群内で送信しきれない場合には、複数の基本サブフレーム群に跨って、複数の第２種リファレンス信号を送信する（図１３参照）。
【００９８】
ここで、「第２種リファレンス信号の数が１つの基本サブフレーム群内で送信しきれないケース」は、（１）トリガー情報が基本サブフレーム群内の先頭サブフレームを除くサブフレームで送信される場合、（２）そもそも基本サブフレーム群の構成サブフレームの数よりも、１つのトリガー情報によって送信される第２種リファレンス信号の数が多い場合などに起こりうる。
【００９９】
以上のように本実施の形態によれば、マルチショットの場合に１つのトリガー情報によって送信される第２種リファレンス信号の数（つまり、マルチショット数）が１つの基本サブフレーム群内で送信しきれない場合には、複数の基本サブフレーム群に跨って、複数の第２種リファレンス信号が送信される。
【０１００】
こうすることで、常にマルチショット数に応じた第２種リファレンス信号が送信されるので、基地局１００は、受信品質を測定したい周波数帯域における受信品質を測定できる。
【０１０１】
［実施の形態６］
実施の形態６は、ＲＳマッピングリソースの設定方法のバリエーションに関する。
【０１０２】
実施の形態６に係る端末２００の送信制御部２０６は、マルチショットの場合に１つのトリガー情報によって送信される第２種リファレンス信号の全体を送信しきれていない状況でも、第２種リファレンス信号の送信開始から一定時間以上経過した場合には、第２種リファレンス信号の送信を停止する（図１４参照）。
【０１０３】
ここで、上述の通り、データ信号が頻繁に発生する場合には、第１種リファレンス信号が使用され、データ信号がバースト的に発生し且つデータ量の比較的少ない場合には、第２種リファレンス信号が使用される可能性が高い。すなわち、第２種リファレンス信号が使用される場合には、基地局１００は、短い期間で測定した受信品質を用いて周波数スケジューリングし、それ以降しばらくの間には、周波数スケジューリングしない可能性が高い。そのため、第２種リファレンス信号が使用される場合に、長い期間で第２種リファレンス信号を送信しても、一部の第２種リファレンス信号は、受信品質が測定されたとしても周波数スケジューリングに使用されず、周波数スケジューリング性能の向上に寄与することができない可能性が高い。
【０１０４】
そこで、マルチショットの場合に１つのトリガー情報によって送信される第２種リファレンス信号の全体を送信しきれていない状況でも、第２種リファレンス信号の送信開始から一定時間以上経過した場合には、第２種リファレンス信号の送信を停止する。すなわち、実施の形態６に係る端末２００の送信制御部２０６は、先頭のＲＳマッピングリソースから所定値以上の時間間隔を有する候補サブフレームを、ＲＳマッピングリソースの対象から除外する。言い換えれば、実施の形態６に係る端末２００の送信制御部２０６は、先頭のＲＳマッピングリソースから所定値より短い時間間隔を有する候補サブフレームのみを、ＲＳマッピングリソースの対象とする。
【０１０５】
例えば、上記した所定値を基本サブフレーム群間間隔とした場合、実施の形態６に係る端末２００の送信制御部２０６は、マルチショットの場合に１つのトリガー情報によって送信される第２種リファレンス信号の数が１つの基本サブフレーム群内で送信しきれない場合には、その送信しきれない分の第２種リファレンス信号を送信しない。すなわち、マルチショットの場合でも、１つのトリガー情報による第２種リファレンス信号の送信は、１つの基本サブフレーム内に限定される。なお、トリガー情報が基地局１００から端末２００へ送信されるサブフレームに依存して、１つのトリガー情報によって送信される第２種リファレンス信号の数が異なるものと捉えることもできる。
【０１０６】
以上のように本実施の形態によれば、端末２００において、送信制御部２０６は、１つのトリガー信号によってＬ個（Ｌは、２以上の自然数）のリファレンス信号が送信されるマルチショット送信が選択される場合に、最初のマッピングリソースから所定値より小さい間隔であるサブフレームの候補周波数ユニットのみをマッピングリソースの対象とする。
【０１０７】
こうすることで、周波数スケジューリングに使用される可能性の低いサブフレーム（一定時間以上のサブフレーム）でＲＳマッピングリソースが設定されないので、そのリソースを他の端末に割り当てることができ、結果として、リソースを有効利用できる。
【０１０８】
［他の実施の形態］
（１）広い送信間隔、狭い送信間隔、マルチショット数、又は送信時間は、上位レイヤで通知(Cell specific通知)されても良いし、ＰＤＣＣＨで通知されても良い。
【０１０９】
（２）実施の形態２の候補リソースの設定方法と、実施の形態３の候補リソースの設定方法とは、シグナリングにより切り替られても良い。
【０１１０】
（３）実施の形態１乃至６で扱った周波数ホッピングパターンは、一例であり、他のパターンが用いられても良い。例えば、連続しない周波数にホッピングする周波数ホッピングパターンが用いられても良い。
【０１１１】
（４）上記各実施の形態ではアンテナとして説明したが、本発明はアンテナポート（antenna port）でも同様に適用できる。
【０１１２】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１１３】
例えば3GPP LTEにおいては、アンテナポートが何本の物理アンテナから構成されるかは規定されず、基地局が異なる参照信号（Reference signal）を送信できる最小単位として規定されている。
【０１１４】
また、アンテナポートはプリコーディングベクトル（Precoding vector）の重み付けを乗算する最小単位として規定されることもある。
【０１１５】
（５）上記各実施の形態では、本発明をハードウェアで構成する場合を例にとって説明したが、本発明はハードウェアとの連携においてソフトウェアでも実現することも可能である。
【０１１６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１９】
２０１０年１０月４日出願の特願２０１０−２２４７２１の日本出願に含まれる明細書、図面および要約書の開示内容は、すべて本願に援用される。
【産業上の利用可能性】
【０１２０】
本発明のリファレンス信号の送信装置、受信装置、送信方法、及び受信方法は、リファレンス信号がマッピングされる候補リソースの量を抑えつつ、効率的な周波数スケジューリングを可能とするものとして有用である。
【符号の説明】
【０１２１】
１００  基地局
１０１  設定部
１０２，１０３  符号化・変調部
１０４  送信処理部
１０５，２０８  送信ＲＦ部
１０６，２０１  アンテナ
１０７，２０２  受信ＲＦ部
１０８，２０３  受信処理部
１０９  データ受信部
１１０  ＳＲＳ受信部
２００  端末
２０４  リファレンス信号生成部
２０５  データ信号生成部
２０６  送信制御部
２０７  送信信号形成部
【図１】
2012046399.tif 000003
【図２】
2012046399.tif 000004
【図３】
2012046399.tif 000005
【図４】
2012046399.tif 000006
【図５】
2012046399.tif 000007
【図６】
2012046399.tif 000008
【図７】
2012046399.tif 000009
【図８】
2012046399.tif 000010
【図９】
2012046399.tif 000011
【図１０】
2012046399.tif 000012
【図１１】
2012046399.tif 000013
【図１２】
2012046399.tif 000014
【図１３】
2012046399.tif 000015
【図１４】
2012046399.tif 000016
【国際調査報告】
2012046399.tif 000017
2012046399.tif 000018
2012046399.tif 000019